(57)【要約】【課題】スコップの匙部に設けられた湾曲部が作業対象物に沈み込むことを防止し、匙部に置載された作業対象物を容易に持ち上げることができるスコップ補助具を提供する。【解決手段】作業対象物５に先端から差し込んだスコップ６の匙部６１の作業対象物５ａが置載される表面と反対側の裏面６１ｂに沿うようにして作業対象物５に差し込まれる板部２と、該板部２の後端に設けられ、匙部６１の後端に回動自在に係止するフック３とを備える。【選択図】図１
2007177442.tif 000002
【特許請求の範囲】
【請求項１】
作業対象物に差し込まれたスコップの匙部の裏面に沿うようにして匙部と作業対象物との間に差し込まれる板部と、
該板部の後端に設けられ、匙部の後端に係止されて該板部の位置決めを行う折曲部とを備えることを特徴とするスコップ補助具。
【請求項２】
前記板部の先端部に、前記匙部側に向かって傾斜する傾斜部を備えることを特徴とする請求項１記載のスコップ補助具。
【請求項３】
前記板部の後端に後方に向かって延びる把持部が設けられていることを特徴とする請求項１又は２記載のスコップ補助具。
【発明の詳細な説明】
【技術分野】
【０００１】
本発明は、スコップで土砂や雪等の作業対象物をすくったり、穴を掘ったりする際に、この作業を補助するスコップ補助具に関する。
【背景技術】
【０００２】
従来、土砂や雪等の作業対象物をすくったり、穴を掘ったりする際に、スコップ（シャベル）が用いられている。スコップは、先端から作業対象物に差し込まれこれをすくう匙部と、匙部の後端に設けられ、後方に延びる柄部と、柄部の後端に設けられた把手部とで構成される。（例えば、特許文献１参照。）
匙部は、一般的に柄部の軸に対して傾斜するように湾曲した湾曲部を有している。これにより、匙部を作業対象物に差し込んだ後、作業者が把手部を地面側に倒すことによって、湾曲部を支点として梃子の原理により、匙部に置載している作業対象物が持ち上げられる。
【０００３】
しかしながら、このとき、支点となる湾曲部に作用する力に、匙部の裏面に接する作業対象物が耐えられず、湾曲部が作業対象物に沈み込むことがある。この場合、梃子の原理がうまく作用せず、スコップにより作業対象物をうまく持ち上げることができない。
【特許文献１】特開２００５−７６２４８号公報（第３ｂ図）
【発明の開示】
【発明が解決しようとする課題】
【０００４】
本発明は、以上の点に鑑み、スコップの匙部に設けられた湾曲部が作業対象物に沈み込むことを防止し、匙部に置載された作業対象物を容易に持ち上げることができるスコップ補助具を提供することを目的とする。
【課題を解決するための手段】
【０００５】
上記目的を達成するため、本発明のスコップ補助具は、作業対象物に差し込まれたスコップの匙部の裏面に沿うようにして匙部と作業対象物との間に差し込まれる板部と、該板部の後端に設けられ、匙部の後端に係止されて該板部の位置決めを行う折曲部とを備えることを特徴とする。
【０００６】
本発明のスコップ補助具は、先端から作業対象物に差し込まれこれをすくう匙部と、匙部の後端に設けられ、後方に延びる柄部と、柄部の後端に設けられた把手部とからなり、匙部には柄部の軸に対して傾斜するように湾曲する湾曲部が形成されているスコップを用いて、土砂や雪等の作業対象物をすくったり穴を掘ったりする際に、この作業を補助するものである。
【０００７】
本発明のスコップ補助具を使用する際には、まず、スコップの匙部を作業対象物に差し込む。次に、本発明のスコップ補助具を匙部の裏面に沿うように匙部と作業対象物との間に差し込む。このとき、折曲部が匙部の後端に係止されることにより板部が位置決めされる。そして、作業者が把手部を把持し把手部と共に柄部を地面側に倒すと、匙部に形成された湾曲部を支点として匙部が持ち上げられる。このとき、支点となる湾曲部に作用する力がスコップ補助具の板部全体に分散される。これにより湾曲部が作業対象物に沈み込むことなく、容易に匙部に置載した作業対象物を持ち上げることができる。
【０００８】
又、スコップ補助具を匙部と作業対象物との間に差し込む際に、折曲部が匙部の後端と係止し板部の位置決めを行うように構成しているため、スコップ補助具を誤って差し込みすぎて匙部の湾曲部が板部と接触しない状態となることがない。従って、支点となる湾曲部に作用する力が板部全体に分散されず湾曲部が作業対象物に沈み込んでしまうことを防止することができる。
【０００９】
又、スコップ補助具を、誤って匙部から離れる角度で作業対象物に差し込んでしまうと、スコップ補助具と匙部との間に作業対象物が介在することとなる。この場合、匙部により置載された作業対象物を持ち上げる際に、支点となる湾曲部がこの介在する作業対象物に沈みこんでしまう。
【００１０】
そこで、板部の先端部に、匙部側に向かって傾斜する傾斜部を設ければ、スコップ補助具を匙部と作業対象物との間に差し込む際に、傾斜部で作業対象物を板部の裏面側に押しのけるようにしてスコップ補助具が差し込まれる。これにより、スコップ補助部を容易に匙部の裏面に沿うように作業対象物へ差し込むことができる。
【００１１】
又、板部の後端に後方に向かって延びる把持部を設ければ、匙部と作業対象物との間にスコップ補助具を差し込む際に、作業者は把持部を把持して差し込むことができ、作業が容易となる。
【発明を実施するための最良の形態】
【００１２】
本発明の実施の形態を図１から図３を参照して説明する。図１は本発明のスコップ補助具の実施形態を示す説明図、図２はスコップを示す説明図、図３は実施形態のスコップ補助具の使用方法を示した説明図である。
【００１３】
図１に示すように、本発明の実施形態のスコップ補助具１は、先端部に傾斜部２ａを備える板状の板部２と、板部２の後端両側縁に設けられた一対の折曲部３と、板部２の後端中央から後方に延びる把持部４とで構成されている。板部２の先端部は、先端に向かって幅が狭くなるように構成されている。これにより、土砂や雪等の作業対象物への差し込みが容易となる。
【００１４】
図２に示す符号６はスコップであり、先端から作業対象物に差し込まれこれをすくう匙部６１と匙部６１の後端に設けられた柄部６２と柄部６２の後端に設けられた把手部６３とで構成される。匙部６１は柄部６２の軸に対して傾斜するように湾曲した湾曲部６１ａを有している。
【００１５】
実施形態のスコップ補助具１の板部２は匙部６１よりも若干小さく形成されている。これにより、スコップ補助具１を匙部６１の裏面６１ｂと作業対象物との間の隙間に挿入し易くなる。
【００１６】
本実施形態のスコップ補助具１を使用する際には、まず、スコップ６の匙部６１を土砂や雪等の作業対象物５に差し込む。そして、図３（ａ）に示すように、スコップ補助具１を匙部６１の裏面６１ｂに沿うように匙部６１と作業対象物５との間に差し込む。作業者は把持部４を把持してスコップ補助具１を容易に差し込むことができる。尚、スコップ６の匙部６１を作業対象物５に差し込んだ後、把手部６３を揺すって匙部６１と作業対象物５との間の隙間が大きくなるようにすれば、作業者はスコップ補助具１をより容易に差し込むことができる。
【００１７】
又、上述のようにしてスコップ補助具１を差し込んだとき、折曲部３が匙部６１の後端両側縁に係止する。折曲部３が設けられていないと、スコップ補助具１を差し込みすぎた場合、湾曲部６１ａが板部２に接触していない状態となる虞がある。このような状態になると、把手部６３を倒した際に、支点となる湾曲部６１ａに作用する力が板部２で拡散されず、湾曲部６１ａが作業対象物５に沈み込み梃子の原理が上手く作用されない虞がある。本実施形態のスコップ補助具１は折曲部３が匙部６１の後端両側縁に係止して板部２の位置決めをするため、このような状態となることを防止できる。
【００１８】
又、板部２の先端部に、匙部側に向かって傾斜する傾斜部２ａが形成されているため、スコップ補助具１を匙部６１と作業対象物５との間に差し込む際に、傾斜部２ａで作業対象物５を板部２の裏面側に押しのけるようにしてスコップ補助具１が差し込まれる。これにより、スコップ補助部１を容易に匙部６１の裏面６１ａに沿うように作業対象物５へ差し込むことができる。
【００１９】
図３（ｂ）に示すように、作業者がスコップ６の把手部６３を介して柄部６２を矢印で示すように作業対象物５側に倒すと、スコップ６は匙部６１の湾曲部６１ａを支点として梃子の原理により匙部６１に置載された作業対象物５ａを持ち上げる。このとき、支点である湾曲部６１ａに加わる力は板部２全体に拡散される。このため、湾曲部６１ａが作業対象物５に沈み込むことを防止することができ、把手部６３に加えた力を効率よく匙部６１に置載された作業対象物５ａを持ち上げる力に変換する事ができる。従って、老人や子供などの力の弱い作業者であっても容易に作業することができる。
【００２０】
尚、図３（ｃ）に示すように、折曲部３は、スコップ６を持ち上げた際に、匙部６１の後端両側縁の係合が解除されるように構成することが好ましい。このように構成することにより、スコップ６を持ち上げた際にスコップ補助具１はスコップ６から脱落し、スコップ６と共にスコップ補助具１を持ち上げた場合と比較して全体の重量が増すことを防止することができる。
【図面の簡単な説明】
【００２１】
【図１】本発明のスコップ補助具の実施形態を示す説明図。
【図２】スコップを示す説明図。
【図３】実施形態のスコップ補助具の使用方法を示した説明図。
【符号の説明】
【００２２】
１…スコップ補助具、  ２…板部、  ２ａ…傾斜部、  ３…折曲部、  ４…把持部、  ５…作業対象物、  ６…スコップ、  ６１…匙部、  ６１ａ…湾曲部、  ６２…柄部、  ６３…把手部。
【図１】
2007177442.tif 000003
【図２】
2007177442.tif 000004
【図３】
2007177442.tif 000005